(57)【特許請求の範囲】
【請求項１】
所定周波数の電波を基地局に発信する電話手段の動作を制御する制御手段を備えた電波発信規制機能付き車載装置であって、
電波発信規制を要求する携帯端末が周辺に存在するか否かを検索する周辺端末検索手段と、
車両が発進してからの移動距離が所定距離に到達したか否かを判定する移動距離判定手段とを備え、
前記制御手段は、前記周辺端末検索手段の検索結果として電波発信規制を要求する携帯端末が周辺に存在する旨を判定したときに、前記電話手段からの電波発信を規制し、
前記周辺端末検索手段は、車両が発進してからの移動距離が所定距離に到達した旨を前記移動距離判定手段が判定したときにも、電波発信規制を要求する携帯端末が周辺に存在するか否かの検索を開始することを特徴とする電波発信規制機能付き車載装置。
【請求項２】
請求項１に記載した電波発信規制機能付き車載装置において、
前記制御手段は、前記電話手段からの電波発信を規制しているときに前記周辺端末検索手段の検索結果として電波発信規制を要求する携帯端末が周辺に存在しない旨を判定したときに、前記電話手段からの電波発信を規制解除することを特徴とする電波発信規制機能付き車載装置。
【請求項３】
請求項１または２に記載した電波発信規制機能付き車載装置において、
乗客が乗降するドアの開閉が行われたか否かを判定するドア開閉判定手段と、
乗降変化が行われたか否かを判定する乗降変化判定手段とを備え、
前記周辺端末検索手段は、乗客が乗降するドアの開閉が行われた旨を前記ドア開閉判定手段が判定し且つ乗降変化が行われた旨を前記乗降変化判定手段が判定したときに、電波発信規制を要求する携帯端末が周辺に存在するか否かの検索を開始することを特徴とする電波発信規制機能付き車載装置。
【請求項４】
請求項１ないし３のいずれかに記載した電波発信規制機能付き車載装置において、
前記周辺端末検索手段は、携帯端末との間で近距離無線通信を行う近距離無線通信手段を備え、電波発信規制を要求すべき機器である旨を表す特定情報を送信する携帯端末を前記近距離無線通信手段が検索することにより、電波発信規制を要求する携帯端末が周辺に存在するか否かを検索することを特徴とする電波発信規制機能付き車載装置。
【請求項５】
請求項４に記載した電波発信規制機能付き車載装置において、
前記近距離無線通信手段は、前記制御手段が前記電話手段からの電波発信を規制解除しているときに、前記電話手段から基地局に送信される送話音声を前記電話手段に送信すると共に基地局から前記電話手段に受信された受話音声を前記電話手段から受信することを特徴とする電波発信規制機能付き車載装置。
【請求項６】
請求項４または５に記載した電波発信規制機能付き車載装置と、
前記近距離無線通信手段の通信圏内に存在するときに電波発信規制を要求すべき機器である旨を表す特定情報を前記車載装置に送信する携帯端末とを備えたことを特徴とする電波発信規制システム。
【発明の詳細な説明】
【技術分野】
【０００１】
本発明は、所定周波数の電波を基地局に発信する電話手段の動作を制御する制御手段を備えた電波発信規制機能付き車載装置及び電波発信規制システムに関する。
【背景技術】
【０００２】
従来より、携帯電話機の利用において携帯電話機が発信する電波による弊害が問題となっており、例えば携帯電話機が発信する電波により心臓ペースメーカなどの医療機器が誤作動する虞がある。このような問題に対して、携帯電話機からの電波発信を強制的に規制する専用装置を設置しておき、携帯電話機が専用装置の周辺に進入すると、携帯電話機からの電波発信を規制するものが供されている。また、携帯電話機からの電波発信を規制する発信規制区域を予め設定しておき、携帯電話機が自らで検出した位置が発信規制区域内であると、その携帯電話機が自らで電波発信を規制するものも供されている（例えば特許文献１参照）。
【特許文献１】特開２００４−１５５６７号公報
【発明の開示】
【発明が解決しようとする課題】
【０００３】
上記した特許文献１に記載されているものは、携帯電話機からの電波発信を規制すべき区域を予め特定している場合には有効である。しかしながら、携帯電話機からの電波発信を規制するか否かを区域に拘わらず切替えることは不可能であり、携帯電話機からの電波発信を規制するか否かを区域に拘わらず切替えることが可能な装置が望まれていた。
【０００４】
本発明は、上記した事情に鑑みてなされたものであり、その目的は、電話手段からの電波発信を規制するか否かを区域に拘わらず切替えることができる電波発信規制機能付き車載装置及び電波発信規制システムを提供することにある。
【課題を解決するための手段】
【０００５】
請求項１に記載した電波発信規制機能付き車載装置によれば、周辺端末検索手段は、電波発信規制を要求する携帯端末が周辺に存在するか否かを検索し、制御手段は、周辺端末検索手段の検索結果として電波発信規制を要求する携帯端末が周辺に存在する旨を判定すると、電話手段からの電波発信を規制する。これにより、携帯電話機が電波発信を規制する発信規制区域内に存在するか否かを判定した判定結果ではなく、電波発信規制を要求する携帯端末が周辺に存在するか否かを判定した判定結果により、電話手段からの電波発信を規制するか否かを切替えることにより、電話手段からの電波発信を規制するか否かを区域に拘わらず切替えることができる。すなわち、例えば電波発信規制機能付き車載装置がタクシーに搭載されている場合であれば、心臓ペースメーカを装着している人が乗客として乗車する場合であっても、その人が電波発信規制を要求する携帯端末を携帯して乗車することにより、電話手段からの電波発信を規制することができ、電話手段からの電波が心臓ペースメーカに悪影響を及ぼすという事態を未然に回避することができる。
また、周辺端末検索手段は、車両が発進してからの移動距離が所定距離に到達した旨を移動距離判定手段が判定すると、電波発信規制を要求する携帯端末が周辺に存在するか否かの検索を開始する。これにより、車両が発進してからの移動距離が所定距離に到達したタイミングでも電波発信規制を要求する携帯端末が周辺に存在するか否かを検索することができる。すなわち、例えば電波発信規制機能付き車載装置がタクシーに搭載されている場合であれば、タクシーが発進してからの移動距離が所定距離に到達したタイミングでも電波発信規制を要求する携帯端末が周辺に存在するか否かを検索することができ、タクシーの移動距離が所定距離に到達する前（例えばタクシーが待機場所に停車しているとき）に電波発信を誤って規制したり規制解除したりした場合であっても、タクシーの移動距離が所定距離に到達した後（例えばタクシーが乗客を乗せて発進した後）に電波発信を正しく規制したり規制解除したりすることができる。
【０００６】
請求項２に記載した電波発信規制機能付き車載装置によれば、制御手段は、電話手段からの電波発信を規制しているときに周辺端末検索手段の検索結果として電波発信規制を要求する携帯端末が周辺に存在しない旨を判定すると、電話手段からの電波発信を規制解除する。これにより、電波発信規制を要求する携帯端末が周辺に存在しない旨を判定すると、電話手段からの電波発信を速やかに規制解除することができ、電話手段からの電波発信を規制する前に速やかに復帰することができる。すなわち、例えば電波発信規制機能付き車載装置がタクシーに搭載されている場合であれば、心臓ペースメーカを装着している人が降車すると、電話手段からの電波発信を速やかに規制解除することができる。
【０００７】
請求項３に記載した電波発信規制機能付き車載装置によれば、周辺端末検索手段は、乗客が乗降するドアの開閉が行われた旨をドア開閉判定手段が判定し且つ乗降変化が行われた旨を乗降変化判定手段が判定すると、電波発信規制を要求する携帯端末が周辺に存在するか否かの検索を開始する。これにより、ドアの開閉が行われ且つ乗降変化が行われたタイミングで電波発信規制を要求する携帯端末が周辺に存在するか否かを検索することができる。すなわち、例えば電波発信規制機能付き車載装置がタクシーに搭載されている場合であれば、乗客が乗車或いは降車したタイミングで電波発信規制を要求する携帯端末が周辺に存在するか否かを検索することができる。
【０００９】
請求項４に記載した電波発信規制機能付き車載装置によれば、周辺端末検索手段は、携帯端末との間で近距離無線通信を行う近距離無線通信手段を備え、電波発信規制を要求すべき機器である旨を表す特定情報を送信する携帯端末を近距離無線通信手段が検索することにより、電波発信規制を要求する携帯端末が周辺に存在するか否かを検索する。これにより、電波発信規制を要求する携帯端末が周辺に存在するか否かを近距離無線通信により検索することができる。
【００１０】
請求項５に記載した電波発信規制機能付き車載装置によれば、近距離無線通信手段は、制御手段が電話手段からの電波発信を規制解除しているときに、電話手段から基地局に送信される送話音声を電話手段に送信すると共に基地局から電話手段に受信された受話音声を電話手段から受信する。これにより、近距離無線通信手段を、電波発信規制を要求する携帯端末が周辺に存在するか否かを検索する手段としてのみでなく、例えばハンズフリー通話を行う場合に送話音声及び受話音声を送受信する手段としても用いることができる。
【発明を実施するための最良の形態】
【００１１】
（第１の実施形態）
以下、本発明を、タクシーに搭載可能に構成されている車載装置に適用した第１の実施形態について、図１及び図２を参照して説明する。車載装置１は、制御部２（本発明でいう制御手段、ドア開閉判定手段、乗降判定手段、移動距離判定手段）、Ｂｌｕｅｔｏｏｔｈ通信部３（本発明でいう周辺端末検索手段、近距離無線通信手段）、ドア開閉検出センサ４、乗降検出センサ５及び距離検出センサ６を備えて構成されている。
【００１２】
制御部２は、ＣＰＵ、ＲＡＭ、ＲＯＭ及びＩ／Ｏバスを有し、制御プログラムを実行して装置全体の動作を制御する。Ｂｌｕｅｔｏｏｔｈ（登録商標）通信部３は、Ｂｌｕｅｔｏｏｔｈ通信の通信圏内を所定範囲に形成し、通信圏内に進入したＢｌｕｅｔｏｏｔｈ通信機器との間でＢｌｕｅｔｏｏｔｈ通信を行うことが可能であり、本実施形態では、タクシーの運転手が車室内に持込んだＢｌｕｅｔｏｏｔｈ通信機能付き携帯電話機７（以下、携帯電話機と称する）（本発明でいう電話手段）や乗客が乗車する際に車室内に持込んだＢｌｕｅｔｏｏｔｈ通信機能付き携帯端末８（以下、携帯端末と称する）との間でＢｌｕｅｔｏｏｔｈ通信を行うことが可能である。
【００１３】
ドア開閉検出センサ４は、乗客が乗降するドア（例えば後部左側座席のドア）の開閉を検出し、ドアの開閉状態を表すドア開閉検出信号を制御部２に出力する。乗降検出センサ５は、例えば着座センサを有して構成され、乗客の乗車或いは降車を検出し、乗客の乗車或いは降車を表す乗降検出信号を制御部２に出力する。距離検出センサ６は、車両が走行した距離を検出し、車両が走行した距離を表す距離検出信号を制御部２に出力する。
【００１４】
携帯電話機７は、電源オン状態では待受動作として携帯電話網の基地局から送信された所定周波数の電波を受信すると共に所定周波数の電波を基地局に送信する（発信する）。この場合、制御部２は、電波発信規制指令をＢｌｕｅｔｏｏｔｈ通信部３から携帯電話機７に送信させることにより、携帯電話機７からの電波発信を規制すると共に、電波発信規制解除指令をＢｌｕｅｔｏｏｔｈ通信部３から携帯電話機７に送信させることにより、携帯電話機７からの電波発信を規制解除する。携帯端末８は、Ｂｌｕｅｔｏｏｔｈ通信の通信規定により規定されているデバイス名としてユニークな名称を設定可能であり、本実施形態では電波発信規制要求機器（本発明いう特定情報）を設定可能である。尚、例えば携帯端末８を使用する使用者が携帯端末８を操作することにより、電波発信規制要求機器を設定することができる。尚、車載装置１は、ＡＣＣスイッチのオンオフに連動して電源オンオフするように構成されている。
【００１５】
次に、上記した構成の作用について、図２を参照して説明する。尚、ここでは、携帯端末８にデバイス名として電波発信規制要求機器が設定されていることを前提として説明する。
【００１６】
制御部２は、車載装置１が電源オン状態にあるときには、ドア開閉検出センサ４から入力するドア開閉検出信号に基づいてドアが開閉されたか否かを判定しており（ステップＳ１）、ドアが開閉された旨を判定すると（ステップＳ１にて「ＹＥＳ」）、乗降検出センサ５から入力する乗降検出信号に基づいて乗客が乗車或いは降車したか（乗降変化したか否か）を判定する（ステップＳ２）。ここで、制御部２は、乗客が乗車或いは降車した旨を判定すると（ステップＳ２にて「ＹＥＳ」）、周辺端末をＢｌｕｅｔｏｏｔｈ通信部３に検索させる（ステップＳ３）。この場合、制御部２は、Ｂｌｕｅｔｏｏｔｈ通信部３にデバイスサーチ処理を行わせることにより、Ｂｌｕｅｔｏｏｔｈ通信部３の通信圏内に存在する携帯端末８からデバイス名を取得する。
【００１７】
ここで、制御部２は、Ｂｌｕｅｔｏｏｔｈ通信部３の通信圏内に存在する携帯端末８からデバイス名として電波発信規制要求機器を取得する、つまり、Ｂｌｕｅｔｏｏｔｈ通信部３の通信圏内にデバイス名として電波発信規制要求機器が設定されている携帯端末８が存在する旨を判定すると（ステップＳ４にて「ＹＥＳ」）、その時点で携帯電話機７からの電波発信を規制しているか否かを判定する（ステップＳ５）。
【００１８】
そして、制御部２は、その時点で携帯電話機７からの電波発信を規制していない旨を判定すると（ステップＳ５にて「ＮＯ」）、電波発信規制指令をＢｌｕｅｔｏｏｔｈ通信部３から携帯電話機７に送信させ、携帯電話機７からの電波発信を規制し（電波発信を停止し）（ステップＳ６）、一方、その時点で携帯電話機７からの電波発信を規制している旨を判定すると（ステップＳ５にて「ＹＥＳ」）、その携帯電話機７からの電波発信を規制している状態を維持する。
【００１９】
これに対して、制御部２は、Ｂｌｕｅｔｏｏｔｈ通信部３の通信圏内に携帯端末８が存在しない或いはＢｌｕｅｔｏｏｔｈ通信部３の通信圏内に携帯端末８が存在するがデバイス名として電波発信規制要求機器を取得しない、つまり、Ｂｌｕｅｔｏｏｔｈ通信部３の通信圏内にデバイス名として電波発信規制要求機器が設定されている携帯端末８が存在しない旨を判定すると（ステップＳ４にて「ＮＯ」）、その時点で携帯電話機７からの電波発信を規制しているか否かを判定する（ステップＳ７）。
【００２０】
そして、制御部２は、その時点で携帯電話機７からの電波発信を規制している旨を判定すると（ステップＳ７にて「ＹＥＳ」）、電波発信規制解除指令をＢｌｕｅｔｏｏｔｈ通信部３から携帯電話機７に送信させ、携帯電話機７からの電波発信を規制解除し（電波発信を開始し）（ステップＳ８）、一方、その時点で携帯電話機７からの電波発信を規制していない旨を判定すると（ステップＳ７にて「ＮＯ」）、その携帯電話機７からの電波発信を規制していない状態を維持する。
【００２１】
次いで、制御部２は、距離検出センサ５から入力する距離検出信号に基づいて車両が移動したか否かを判定すると共に（ステップＳ９）、例えばＢｌｕｅｔｏｏｔｈ通信部３が周辺端末の検索を終了してから所定時間が経過したか否かを判定する（ステップＳ１０）。次いで、制御部２は、例えばＢｌｕｅｔｏｏｔｈ通信部３が周辺端末の検索を終了してから所定時間が経過する前に車両が移動した旨を判定すると（ステップＳ９にて「ＹＥＳ」）、車両が発進してからの移動距離を計算し（ステップＳ１１）、車両が発進してからの移動距離が所定距離に到達したか否かを判定する（ステップＳ１２）。そして、制御部２は、車両が発進してからの移動距離が所定距離に到達した旨を判定すると（ステップＳ１２にて「ＹＥＳ」）、この場合も、周辺端末をＢｌｕｅｔｏｏｔｈ通信部３に検索させる（ステップＳ１３）。
【００２２】
ここで、制御部２は、Ｂｌｕｅｔｏｏｔｈ通信部３の通信圏内に存在する携帯端末８から電波発信規制要求機器のデバイス名を取得する、つまり、Ｂｌｕｅｔｏｏｔｈ通信部３の通信圏内にデバイス名として電波発信規制要求機器が設定されている携帯端末８が存在する旨を判定すると（ステップＳ１４にて「ＹＥＳ」）、その時点で携帯電話機７からの電波発信を規制しているか否かを判定する（ステップＳ１５）。
【００２３】
そして、制御部２は、その時点で携帯電話機７からの電波発信を規制していない旨を判定すると（ステップＳ１５にて「ＮＯ」）、電波発信規制指令をＢｌｕｅｔｏｏｔｈ通信部３から携帯電話機７に送信させ、携帯電話機７からの電波発信を規制し（ステップＳ１６）、一方、その時点で携帯電話機７からの電波発信を規制している旨を判定すると（ステップＳ１５にて「ＹＥＳ」）、その携帯電話機７からの電波発信を規制している状態を維持する。
【００２４】
これに対して、制御部２は、Ｂｌｕｅｔｏｏｔｈ通信部３の通信圏内に携帯端末８が存在しない或いはＢｌｕｅｔｏｏｔｈ通信部３の通信圏内に携帯端末８が存在するがデバイス名として電波発信規制要求機器を取得しない、つまり、Ｂｌｕｅｔｏｏｔｈ通信部３の通信圏内にデバイス名として電波発信規制要求機器が設定されている携帯端末８が存在しない旨を判定すると（ステップＳ１４にて「ＮＯ」）、その時点で携帯電話機７からの電波発信を規制しているか否かを判定する（ステップＳ１７）。
【００２５】
そして、制御部２は、その時点で携帯電話機７からの電波発信を規制している旨を判定すると（ステップＳ１７にて「ＹＥＳ」）、電波発信規制解除指令をＢｌｕｅｔｏｏｔｈ通信部３から携帯電話機７に送信させることにより、携帯電話機７からの電波発信を規制解除し（ステップＳ１８）、一方、その時点で携帯電話機７からの電波発信を規制していない旨を判定すると（ステップＳ１７にて「ＮＯ」）、その携帯電話機７からの電波発信を規制していない状態を維持する。
【００２６】
以上に説明したように第１の実施形態によれば、車載装置１において、デバイス名として電波発信規制要求機器が設定されている携帯端末８が周辺に存在する旨を判定すると、携帯電話機７からの電波発信を規制し、一方、デバイス名として電波発信規制要求機器が設定されている携帯端末８が周辺に存在しない旨を判定すると、携帯電話機７からの電波発信を規制解除するように構成したので、携帯電話機７からの電波発信を規制するか否かを区域に拘わらず切替えることができる。したがって、心臓ペースメーカを装着している人が乗客として乗車する場合であっても、その人がデバイス名として電波発信規制要求機器が設定されている携帯端末８を携帯して乗車することにより、携帯電話機７からの電波発信を規制することができ、携帯電話機７からの電波が心臓ペースメーカに悪影響を及ぼすという事態を未然に回避することができる。
【００２７】
また、ドアの開閉が行われ且つ乗降変化が行われた旨を判定すると、デバイス名として電波発信規制要求機器が設定されている携帯端末８が周辺に存在するか否かを検索するように構成したので、乗客が乗車或いは降車したタイミングでデバイス名として電波発信規制要求機器が設定されている携帯端末８が周辺に存在するか否かを検索することができる。
【００２８】
また、車両が発進してからの移動距離が所定距離に到達した旨を判定すると、このときも、デバイス名として電波発信規制要求機器が設定されている携帯端末８が周辺に存在するか否かを検索するように構成したので、タクシーが発進してからの移動距離が所定距離に到達したタイミングでも、デバイス名として電波発信規制要求機器が設定されている携帯端末８が周辺に存在するか否かを検索することができ、例えばタクシーが待機場所に停車しているときに電波発信を誤って規制したり規制解除したりした場合であっても、タクシーが乗客を乗せて発進した後に電波発信を正しく規制したり規制解除したりすることができる。
【００２９】
（第２の実施形態）
次に、本発明の第２の実施形態について、図３を参照して説明する。尚、上記した第１の実施形態と同一部分については説明を省略し、異なる部分について説明する。上記した第１の実施形態は、携帯電話機７が車載装置１との間でＢｌｕｅｔｏｏｔｈ通信を行って車載装置１に無線接続される構成であるが、この第２の実施形態は、携帯電話機が車載装置に有線接続される構成である。
【００３０】
すなわち、車載装置１１は、制御部１２（本発明でいう制御手段、ドア開閉判定手段、乗降判定手段、移動距離判定手段）、上記した第１の実施形態で説明したＢｌｕｅｔｏｏｔｈ通信部３、ドア開閉検出センサ４、乗降検出センサ５及び距離検出センサ６に加えて電話機接続部１３を備えて構成されている。
【００３１】
電話機接続部１３は、タクシーの運転手が車室内に持込んだ携帯電話機１４（本発明でいう電話手段）を例えば接続ケーブルや接触端子を介して接続可能に構成されており、携帯電話機１４が接続されると、携帯電話機１４との間で有線通信することが可能である。この場合、制御部１２は、電波発信規制指令を電話機接続部１３から携帯電話機１４に送信させることにより、携帯電話機１４からの電波発信を規制すると共に、電波発信規制解除指令を電話機接続部１３から携帯電話機１４に送信させることにより、携帯電話機１４からの電波発信を規制解除する。
【００３２】
以上に説明したように第２の実施形態によれば、上記した第１の実施形態と同様の作用効果を得ることができる。すなわち、デバイス名として電波発信規制要求機器が設定されている携帯端末８が周辺に存在する旨を判定すると、携帯電話機１４からの電波発信を規制し、一方、デバイス名として電波発信規制要求機器が設定されている携帯端末８が周辺に存在しない旨を判定すると、携帯電話機１４からの電波発信を規制解除するように構成したので、携帯電話機１４からの電波発信を規制するか否かを区域に拘わらず切替えることができる。
【００３３】
（その他の実施形態）
本発明は、上記した実施形態にのみ限定されるものではなく、以下のように変形または拡張することができる。
車載装置１は、その機能が周知の車載ナビゲーション装置に組み込まれ、車載ナビゲーション装置から構成されていても良い。
携帯端末８を検索する方法としては、Ｂｌｕｅｔｏｏｔｈ通信を用いる方法に限らず、他の近距離無線通信を用いる方法であっても良い。
第１の実施形態において、車載装置１に送話音声を入力するマイクロホンが設けられると共に受話音声を出力するスピーカが設けられ、制御部２が携帯電話機７からの電波発信を規制解除しているときに、それらマイクロホンが入力した送話音声及びスピーカが出力する受話音声をＢｌｕｅｔｏｏｔｈ通信部３が携帯電話機７との間で送受信してハンズフリー通話を行うように構成されていても良い。そのように構成すれば、Ｂｌｕｅｔｏｏｔｈ通信部３を、デバイス名として電波発信規制要求機器が設定されている携帯端末８を検索する手段としてのみでなく、ハンズフリー通話を行う場合に送話音声及び受話音声を送受信する手段としても用いることができる。
【図面の簡単な説明】
【００３４】
【図１】本発明の第１の実施形態を示す機能ブロック図
【図２】フローチャート
【図３】本発明の第２の実施形態を示す機能ブロック図
【符号の説明】
【００３５】
図面中、１は車載装置（電波発信規制機能付き車載装置）、２は制御部（制御手段、ドア開閉判定手段、乗降判定手段、移動距離判定手段）、３はＢｌｕｅｔｏｏｔｈ通信部（周辺端末検索手段、近距離無線通信手段）、７はＢｌｕｅｔｏｏｔｈ通信機能付き携帯電話機（電話手段）、８はＢｌｕｅｔｏｏｔｈ通信機能付き携帯端末（携帯端末）、１１は車載装置（電波発信規制機能付き車載装置）、１２は制御部（制御手段、ドア開閉判定手段、乗降判定手段、移動距離判定手段）、１４は携帯電話機（電話手段）である。
【図１】
0004341703.tif 000002
【図２】
0004341703.tif 000003
【図３】
0004341703.tif 000004